(57)【要約】【課題】２つの筐体が互いに回動可能に連結された携帯端末装置において、携帯端末装置を視認したり、持ち直したりすることなく、２つの筐体を互いに回動させて開くことができるようにする。【解決手段】厚さ方向に重ね合わせ可能な２つの筐体２，３と、該２つの筐体２，３を厚さ方向に延びる基準軸線Ｌ１を中心として相互に回動可能に連結する連結手段５とを備える携帯端末装置１であって、前記連結手段５が、前記２つの筐体２，３の各一端部２ａ，３ａ側同士を連結し、前記２つの筐体２，３のうち、いずれか一方の筐体２の他端部２ｃに、ストラップ１１を取り付けるストラップ取付部１３が設けられている携帯端末装置１を提供する。【選択図】      図１
2004356994.tif 000002
【特許請求の範囲】
【請求項１】
厚さ方向に重ね合わせ可能な２つの筐体と、該２つの筐体を厚さ方向に延びる基準軸線を中心として相互に回動可能に連結する連結手段とを備えた携帯端末装置であって、
前記連結手段が、前記２つの筐体の各一端部側同士を連結し、
前記２つの筐体のうち、いずれか一方の筐体の他端部に、ストラップを取り付けるストラップ取付部を設けたことを特徴とする携帯端末装置。
【請求項２】
前記２つの筐体が、操作部を備えた第１の筐体と、表示部を備えた第２の筐体とを有し、
前記操作部が、前記２つの筐体を重ね合わせた閉状態において前記第２の筐体に対向する前記第１の筐体の対向面に配され、
前記表示部が、前記閉状態、及び該閉状態から前記２つの筐体を相互に回動させて前記操作部を外方に露出させた開状態において、外方に露出する前記第２の筐体の外面側に配され、
前記ストラップ取付部が、前記第１の筐体の他端部のうち、前記対向面を除く面に設けてあることを特徴とする請求項１に記載の携帯端末装置。
【発明の詳細な説明】
【０００１】
【発明の属する技術分野】
この発明は、２つの筐体を回動可能に連結した携帯電話機、ＰＤＡ（Ｐｅｒｓｏｎａｌ  Ｄｉｇｉｔａｌ  Ａｓｓｉｓｔａｎｔｓ）等の携帯端末装置に関する。
【０００２】
【従来の技術】
従来、２つの筐体を連結手段により開閉可能に連結した携帯端末装置としては、２つの筐体を重ね合わせて配置することができ、連結手段により両筐体の重ね合わせ方向に延びる基準軸線を中心として互いに回動可能となっているものがある（例えば、特許文献１参照。）。この連結手段は、２つの筐体の一端部同士を連結するように構成されている。
このような構成の携帯端末装置を鞄や衣服のポケットに収容して携行する際には、２つの筐体を互いに重ね合わせて閉じた状態とする。そして、この状態から携帯端末装置を使用する際には、各筐体の他端部を把持し、基準軸線を中心として２つの筐体を相互に１８０°回動させて開く。
また、携帯端末装置が無線通信機能を有する携帯電話機である場合には、一方の筐体からアンテナが突出して設けられている。携帯電話機の使用者は、このアンテナに触れることで連結手段の位置を確認できるため、携帯電話機を視認しなくても、２つの筐体を相互に回動させて開くことが可能となる。
【０００３】
【特許文献１】
特開平７−２８８８６０号公報
【０００４】
【発明が解決しようとする課題】
しかしながら、近年、良好な外観意匠を得るために、前述のアンテナを筐体内部に内蔵する等して、２つの筐体を同様の外観形状に形成した携帯端末装置がある。このような構成の携帯端末装置においては、連結手段の位置を手探りで把握することが困難であった。このため、２つの筐体を相互に回動させて開く際には、予め連結手段の位置を視認した上で筐体を持ち直す必要があり、結果として携帯端末装置の取り扱いが面倒になるという問題があった。
この発明は、上述した事情に鑑みてなされたものであって、携帯端末装置を視認したり、持ち直したりすることなく、２つの筐体を互いに回動させて開くことができる携帯端末装置を提供することを目的としている。
【０００５】
【課題を解決するための手段】
上記課題を解決するために、この発明は以下の手段を提案している。
請求項１に係る発明は、厚さ方向に重ね合わせ可能な２つの筐体と、該２つの筐体を厚さ方向に延びる基準軸線を中心として相互に回動可能に連結する連結手段とを備えた携帯端末装置であって、前記連結手段により前記２つの筐体の各一端部側同士を連結させ、前記２つの筐体のうち、いずれか一方の筐体の他端部に、ストラップを取り付けるストラップ取付部を設けることを特徴とする。
【０００６】
この発明に係る携帯端末装置によれば、筐体の他端部にストラップ取付部を設けることにより、携帯端末装置を視認することなく、筐体の一端部側を連結する連結手段の位置を把握することができる。
また、この携帯端末装置を鞄や衣服のポケットに収容して携行する際には、２つの筐体を互いに重ね合わせて閉じた状態とする。この状態から、２つの筐体を相互に開いて携帯端末装置を使用する際には、一方の手でストラップ取付部に取り付けられたストラップを掴んでポケットから取り出すと共に、他方の手で他方の筐体を把持する。そして、一方の手でストラップを基準軸線の周方向に引っ張ることにより、一方の筐体が他方の筐体に対して基準軸線を中心として１８０°回動して開くことになる。
【０００７】
以上のことから、例えば、携帯端末装置を使用する際には、ストラップを掴んで鞄や衣服のポケットから取り出せばよい。すなわち、携帯端末装置を取り出した後に２つの筐体を相互に開く際には、このストラップを掴んだままで基準軸線を中心として２つの筐体を相互に回動させることができる。したがって、２つの筐体を相互に開く動作を行う際には、携帯端末装置を視認する必要がない。
【０００８】
請求項２に係る発明は、請求項１に記載の携帯端末装置において、前記２つの筐体が、操作部を備えた第１の筐体と、表示部を備えた第２の筐体とを有し、前記２つの筐体を重ね合わせた閉状態において、前記第２の筐体に対向する前記第１の筐体の対向面に前記操作部を配し、前記閉状態、及び該閉状態から前記２つの筐体を相互に回動させて前記操作部を外方に露出させた開状態において、外方に露出する前記第２の筐体の外面側に前記表示部を配し、前記ストラップ取付部を前記第１の筐体の他端部のうち、前記対向面を除く面に設けることを特徴とする。
【０００９】
この発明に係る携帯端末装置によれば、ストラップ取付部に取り付けたストラップを引っ張って２つの筐体を相互に開く際には、第１の筐体が表示部を備えた第２の筐体に対して基準軸線Ｌ１を中心として回動することになる。この際には、常に外方に露出している表示部の向きが変化しないため、表示部に表示される各種情報を視認しながら２つの筐体を相互に開くことができる。
【００１０】
【発明の実施の形態】
図１から図３は本発明に係る一実施形態を示しており、ここで説明する実施の形態は、この発明を携帯電話機に適用した場合のものである。この実施の形態に係る携帯電話機（携帯端末装置）１は、図１に示すように、平面視略矩形状をした第１の筐体２と、この第１の筐体２の厚さ方向に重ね合わせ可能な平面視略矩形状をした第２の筐体３と、これら２つの筐体２，３を、その厚さ方向に延びる基準軸線Ｌ１を中心に相互に回動可能に連結する連結手段５とを備えている。なお、連結手段５は、２つの筐体２，３の各端部（一端部）２ａ，３ａ（以下、基端部２ａ，３ａと呼ぶ。）同士を連結するように配されている。
【００１１】
基準軸線Ｌ１に直交し、且つ２つの筐体２，３を相互に重ね合わせて閉じた状態において第２の筐体３に対向する第１の筐体２の対向面２ｂには、通話キー、終話キー、テンキー等の各種の押圧可能な操作キーからなる操作部７が設けられている。また、対向面２ｂのうち、基端部２ａの反対側に位置する第１の筐体２の先端部（他端部）２ｃには、マイクロフォン部９が設けられている。これら操作部７及びマイクロフォン部９は、第１及び第２の筐体２，３を互いに閉じた状態において、第２の筐体３により覆い隠されるようになっている。さらに、先端部２ｃ側の側面には、ハンドストラップ１１を取り付けるストラップ取付部１３が設けられている。
なお、このストラップ取付部１３は、２つの筐体２，３を相互に閉じた状態において、第１の筐体２の対向面２ｂと、この対向面２ｂに対向して位置する第２の筐体３の対向面３ｄとの間にハンドストラップ１１が挟まれない位置に設けられることが好ましい。すなわち、ストラップ取付部１３は、先端部２ｃのうち、対向面２ｂを除く面に設けられることが好ましい。
【００１２】
第２の筐体３の内部には、各種情報を表示する表示部１５が設けられており、表示部１５の表示面１５ａが、第１の筐体２の対向面２ｂと略同じ方向に向く第２の筐体３の外面３ｂ側に露出している。また、この外面３ｂのうち、基端部３ａの反対側に位置する第２の筐体３の先端部（他端部）３ｃにはスピーカー部１７が設けられている。
スピーカー部１７は、マイクロフォン部９と共に、第１及び第２の筐体２，３を相互に開いた状態にてアンテナ（図示せず）を介して、無線通話を行うものである。この無線通信用のアンテナは、第２の筐体３の先端部３ｃ内に内蔵されている。
これら表示部１５及びスピーカー部１７は、２つの筐体２，３を開いた状態から基準軸線Ｌ１を中心に相互に１８０°回動して、図２に示すように、重ね合わせて閉じても外方に露出している。
なお、本実施形態においては、２つの筐体２，３を互いに閉じた状態において、２つの筐体２，３の対向面２ｂ，３ｄを互いに当接させてあるが、これら２つの対向面２ｂ，３ｄの間に微小な空間を設けるようにしても構わない。
【００１３】
以上のように構成された携帯電話機１の使用方法について説明する。
この携帯電話機１を鞄や衣服のポケットに収容して携行する場合には、図２に示すように、２つの筐体２，３を互いに重ね合わせて閉じた状態とする。
そして、この状態から、携帯電話機１を使用する際には、一方の手でハンドストラップ１１を掴んでポケットから携帯端末電話機１を取り出し、他方の手で第２の筐体３を把持する。次いで、他方の手の位置を固定して、図３に示すように、一方の手でハンドストラップ１１を基準軸線Ｌ１の周方向（Ａ方向）に引っ張る。これにより、第１の筐体２が第２の筐体３に対して基準軸線Ｌ１を中心として１８０°回動して、２つの筐体２，３が相互に開くことになる。
なお、２つの筐体２，３を相互に開く動作を行う際には、第２の筐体３の位置が他方の手により固定され、常に外方に露出している表示部１５の向きが変化しないため、表示部１５に表示される各種情報を視認しながら２つの筐体２，３を相互に開くことができる。
【００１４】
上記のように、この携帯電話機１によれば、２つの筐体２，３の外観形状を同様に形成しても、第１の筐体２の先端部２ｃに設けられたハンドストラップ１１に触れることにより、携帯電話機１を視認することなく、２つの筐体２，３の一端部側を連結する連結手段５の位置を把握することができる。
また、第１の筐体２の先端部２ｃにストラップ取付部１３を設けることにより、ハンドストラップ１１を掴んで携帯電話機１を鞄や衣服のポケットから取り出した後に持ち直すことなく、２つの筐体２，３を相互に開くことができるため、携帯電話機１の取り扱いが容易となる。
さらに、ストラップ取付部１３を第１の筐体２に設けることにより、表示部７を視認しながら２つの筐体２，３を相互に開くことができるため、携帯電話機１の操作性向上を図ることができる。
【００１５】
なお、上記の実施形態においては、ストラップ取付部１３にハンドストラップ１１が取り付けられるとしたが、これに限ることはなく、少なくとも紐状のストラップが取り付けられればよい。すなわち、ストラップ取付部１３には、例えば、首にかけるネックストラップが取り付けられるとしても構わない。
また、ストラップ取付部１３は、先端部２ｃのうち、第１の筐体２の側面に設けられるとしたが、これに限ることはなく、少なくとも第１の筐体２の先端部２ｃに設けられていればよい。
【００１６】
さらに、ストラップ取付部１３は、第１の筐体２の先端部２ｃに設けられるとしたが、２つの筐体２，３を相互に開く際に表示部１５を視認することを考慮しない場合には、この構成に限ることはなく、例えば、第２の筐体３の先端部３ｃに設けられるとしても良い。ただし、この構成においても、このストラップ取付部は、２つの筐体２，３を相互に閉じた状態において、２つの筐体２，３の対向面２ｂ，３ｄの間にストラップが挟まれない位置に設けられることが好ましい。すなわち、ストラップ取付部は、第２の筐体３の対向面３ｄを除く面に設けられることが好ましい。
【００１７】
また、携帯電話機１に限ることはなく、ＰＤＡやノートパソコンのように、２つの筐体を連結手段により互いに回動可能、かつ開閉自在に連結した携帯端末装置であればよい。
以上、本発明の実施形態について図面を参照して詳述したが、具体的な構成はこの実施形態に限られるものではなく、本発明の要旨を逸脱しない範囲の設計変更等も含まれる。
【００１８】
【発明の効果】
以上説明したように、請求項１に係る発明によれば、２つの筐体の外観形状を同様に形成しても、ストラップに触れることにより、携帯端末装置を視認することなく連結手段の位置を把握することができる。また、一方の筐体のうち、連結手段と反対側の端部にストラップ取付部を設けることにより、携帯端末装置をポケットから取り出した後に持ち直すことなく、２つの筐体を相互に開くことができるため、携帯端末装置の取り扱いが容易となる。
【００１９】
請求項２に係る発明によれば、ストラップ取付部を第１の筐体に設けることにより、表示部を視認しながら２つの筐体を相互に開くことができるため、携帯端末装置の操作性向上を図ることができる。
【図面の簡単な説明】
【図１】この発明の一実施形態に係る携帯電話機の第１及び第２の筐体を相互に開いた状態を示す斜視図である。
【図２】図１の携帯電話機において、第１及び第２の筐体とを相互に閉じた状態を示す斜視図である。
【図３】図１の携帯電話機において、２つの筐体が互いに閉じられた状態からハンドストラップを引っ張って２つの筐体を相互に開く状態を示す平面図である。
【符号の説明】
１  携帯電話機（携帯端末装置）
２  第１の筐体
２ａ  基端部（一端部）
２ｂ  対向面
２ｃ  先端部（他端部）
３  第２の筐体
３ａ  基端部（一端部）
３ｂ  外面
３ｃ  先端部（他端部）
５  連結手段
７  操作部
１１  ハンドストラップ
１３  ストラップ取付部
１５  表示部
Ｌ１  基準軸線
【図１】
2004356994.tif 000003
【図２】
2004356994.tif 000004
【図３】
2004356994.tif 000005